(57)【要約】【課題】  エプロンを容易に洗い場パンに立設固定させることのできる洗い場付浴槽の分割エプロン構造を提供する。【解決手段】  少なくとも浴槽，エプロン２，洗い場パン１の主要３部品に分割された洗い場付浴槽において、エプロン２の幅方向左右端の少なくとも一方には、洗い場パン１の外周の水切り片１ｂに固定可能な縦リブ３，４が、エプロン２の下端部のみに洗い場１側へ突出して設けられている。【選択図】  図１
2005095560.tif 000002
【特許請求の範囲】
【請求項１】
少なくとも浴槽，エプロン，洗い場パンの主要３部品に分割された洗い場付浴槽において、前記エプロンの幅方向左右端の少なくとも一方には、前記洗い場パン外周の水切り片に固定可能な縦リブが、下端部のみに洗い場側へ突出して設けられていることを特徴とする洗い場付浴槽の分割エプロン構造。
【請求項２】
少なくとも浴槽，エプロン，洗い場パンの主要３部品に分割された洗い場付浴槽において、前記エプロンの幅方向左右端の少なくとも一方には、前記洗い場パン外周の水切り片に固定可能な縦リブが、下端部のみに浴槽側へ突出して設けられているとともに、前記エプロンの面には、洗い場側から作業可能に作業口が設けられていることを特徴とする洗い場付浴槽の分割エプロン構造。
【請求項３】
前記縦リブは、エプロンとは別体で形成されたものであることを特徴とする請求項１または請求項２に記載の洗い場付浴槽の分割エプロン構造。
【請求項４】
前記別体で形成された縦リブには、壁パネルを固定するための係止片が形成されていることを特徴とする請求項３に記載の洗い場付浴槽の分割エプロン構造。
【発明の詳細な説明】
【技術分野】
【０００１】
本発明は、洗い場付浴槽における分割されたエプロンの構造に関するものである。
【背景技術】
【０００２】
従来、特許文献１に開示されているような、洗い場，エプロン，浴槽，浴槽と洗い場の連結フレームで構成した洗い場付浴槽では、連結フレームの上面形状が略コの字型に形成されている。
【特許文献１】特開２００３−１１１６８７号公報
【発明の開示】
【発明が解決しようとする課題】
【０００３】
上記従来構造では、浴槽と洗い場を連結フレームで接続する際に、連結フレームの角度を正確に出すことが困難であり、調整作業に時間がかかっていた。
【課題を解決するための手段】
【０００４】
本発明は上記従来の問題点に鑑み案出したものであって、正確に角度を出して容易に施工できる洗い場付浴槽の分割エプロン構造を提供せんとするものであり、請求項１は、少なくとも浴槽，エプロン，洗い場パンの主要３部品に分割された洗い場付浴槽において、前記エプロンの幅方向左右端の少なくとも一方には、前記洗い場パン外周の水切り片に固定可能な縦リブが、下端部のみに洗い場側へ突出して設けられていることである。
【０００５】
また、請求項２は、少なくとも浴槽，エプロン，洗い場パンの主要３部品に分割された洗い場付浴槽において、前記エプロンの幅方向左右端の少なくとも一方には、前記洗い場パン外周の水切り片に固定可能な縦リブが、下端部のみに浴槽側へ突出して設けられているとともに、前記エプロンの面には、洗い場側から作業可能に作業口が設けられていることである。
また、請求項３は、前記縦リブは、エプロンとは別体で形成されたものであることである。
また、請求項４は、前記別体で形成された縦リブには、壁パネルを固定するための係止片が形成されていることである。
【発明の効果】
【０００６】
本発明では、エプロンの幅方向左右端の少なくとも一方には、洗い場パン外周の水切り片に固定可能な縦リブが、下端部のみに洗い場側へ突出して設けられていることにより、エプロンの下端に設けられた縦リブを、洗い場パン外周の水切り片に、洗い場側から容易にビス等で固定して、洗い場パンにエプロンを立設固定させることができ、この時に、正確に角度を出してエプロンを固定することができ、施工が容易なものとなる。
また、縦リブは下端部のみに設けられているため、壁パネルを取り付けるための金具が邪魔になることがない。
【０００７】
また、エプロンの幅方向左右端の少なくとも一方には、洗い場パン外周の水切り片に固定可能な縦リブが、下端部のみに浴槽側へ突出して設けられているとともに、エプロンの面には、洗い場側から作業可能に作業口が設けられていることにより、エプロンの下端に浴槽側へ突出して設けられた縦リブを、洗い場側から作業口に手を入れて、容易にビス等で洗い場パンの水切り片に固定することができ、正確に角度を出してエプロンを固定することができ、施工が容易なものとなる。
【０００８】
また、縦リブは、エプロンとは別体で形成されたものであることにより、例えばドアが隣接される場合等において、不要な縦リブを切断する必要がなく、必要なエプロンの幅方向左右端の何れか側のみに容易に縦リブを設置して、縦リブを介し洗い場パン上に良好にエプロンを立設固定させることができるものとなる。
【０００９】
また、別体で形成された縦リブには、壁パネルを固定するための係止片が形成されていることにより、別体で形成された縦リブを介し洗い場パン上に良好にエプロンを立設固定させることができるとともに、金具を省略して、良好に壁パネルを固定することができるものとなる。
【実施例】
【００１０】
以下、本発明の実施例を図面に基づいて説明する。
図１は、浴槽とエプロンと洗い場パンが分割されて構成された洗い場付浴槽において、洗い場パンにエプロンを立設固定させた状態の要部斜視構成図である。
洗い場を形成する洗い場パン１の外周には、壁パネルを建て付けることのできる壁載置面１ａが形成されており、その外周には、上方へ立ち上げて水切り片１ｂが一体形成されている。
【００１１】
この洗い場パン１の浴槽側に立設固定されるエプロン２には、幅方向左右端の下端部に、洗い場側へ突出して縦リブ３，４が一体形成され、この左右の縦リブ３，４には、それぞれビス６を通すためのビス孔３ａ，４ａが形成されている。
このように、縦リブ３，４を左右端の下端部に一体形成したエプロン２は、洗い場パン１の洗い場側から、ビス６をビス孔３ａ，４ａ内に通し、ビス６を水切り片１ｂにねじ込んで、水切り片１ｂの内側に縦リブ３，４を固定させて、洗い場パン１にエプロン２を容易に立設固定させることができるものである。
【００１２】
なお、縦リブ３，４の下面を水平に形成させておけば、縦リブ３，４を洗い場パン１の壁載置面１ａ上に載せるだけで、容易にエプロン２を垂直状態とすることができ、エプロン２の角度を調節する必要がなく、施工が容易なものとなる。
なお、図２は、要部の拡大斜視構成図である。
【００１３】
なお、例えば図３の平面断面構成図で示すように、洗い場パン１の壁載置面１ａ上に壁パネル８を建て付ける際に、金具７を用いる場合があり、この金具７は、エプロン２の左右の側面に回り込んで、ビス６でエプロン２に固定されるものであり、先端には係止片７ａが形成されている。
一方、壁載置面１ａ上に建て付けられる壁パネル８は、表面が鋼板９で形成され、裏側に石膏ボード１０が貼着されたものであり、鋼板９の先端側には、金具７の係止片７ａに係合される引掛け片９ａが折り曲げ形成されている。
【００１４】
なお、図４は、金具７と縦リブ４との関係を示す要部斜視構成図である。
このように、壁パネル８を固定するための金具７を用いる場合においても、縦リブ３，４はエプロン２の下端部のみに突出形成されているため、金具７を良好にエプロン２に固定して取り付けることができ、縦リブ３，４が邪魔になることはない。
なお、例えば図１において、縦リブ３側にドアが隣接される場合には、このドア側の縦リブ３を現場で切断することができるものである。
【００１５】
なお、更に図１に示すように、洗い場側へ突出形成された縦リブ３，４に代えて、浴槽側へ突出した縦リブ５を、エプロン２の左右端の下端部に一体形成させておいても良く、このような浴槽側へ突出した縦リブ５が設けられたエプロン２においては、作業口２ａ，２ｂを開口させておき、この作業口２ａ，２ｂ内に洗い場パン１側から手を入れて、ビス６を縦リブ５に通し、水切り片１ｂに締め付けて、水切り片１ｂに縦リブ５を固定することができ、洗い場側から作業を容易に行うことができるものとなる。
この場合にも、縦リブ５の下面を水平に設定しておけば、エプロン２を容易に垂直に立設させることができるものとなる。
【００１６】
次に、図５は変更例を示すものであり、図５では、一体状に形成した縦リブ３，４，５に代えて、別体で形成した別体縦リブ１１を用いるものであり、別体縦リブ１１を、エプロン２の幅方向左右端の少なくとも一方に取り付けることができるように構成したものである。
図５に示すように、別体縦リブ１１は、エプロン２に固定するためのエプロン固定片１２と、エプロン固定片１２に対し直角状を成し水切り片１ｂと平行状を成すリブ片１３が、板材でＬ字状に形成されており、エプロン固定片１２およびリブ片１３には、それぞれ複数のビスを通すためのビス孔１２ａ，１３ａが形成されている。
【００１７】
ビス孔１２ａにビスを通して、エプロン固定片１２をエプロン２の幅方向左右端の少なくとも一方の下端部に固定しておき、この状態で、エプロン２と共に別体縦リブ１１を洗い場パン１の壁載置面１ａ上に載せると、別体縦リブ１１の下面は水平に形成されているため、エプロン２が垂直に立設されることとなり、リブ片１３のリブ孔１３ａ内にビスを通し、ビスを水切り片１ｂにねじ込んで、水切り片１ｂの内側にリブ片１３を固定することができ、作業が容易なものとなる。
【００１８】
なお、このような別体縦リブ１１は、エプロン２のドアが隣接される側には取り付ける必要がなくなり、ドア側の縦リブ３を切断する必要もなく、必要な箇所のみに取り付けて用いることができるものとなる。
【００１９】
なお、別体縦リブ１１を、図６に示すように変形して、壁パネル８を固定するための係止片１５を一体形成しても良い。
即ち、図６に斜視図で示す別体縦リブ１１は、洗い場パン１の水切り片１ｂにビス６で固定できるリブ片１３と、エプロン２に固定するエプロン固定片１２がＬ字状に一体形成され、エプロン固定片１２の先端には、リブ片１３と略平行状に立上片１４が一体形成され、立上片１４の先端には、湾曲状に係止湾曲片１５が連続して形成され、さらに係止湾曲片１５の先端には、折り返し湾曲片１６が折り返して形成され、折り返し湾曲片１６の先端には、ガイド片１７が延出されている。
【００２０】
図７に示すように、エプロン固定片１２に貫通形成されている２個のビス孔１２ａ，１２ａに、それぞれビス６を差し込み、ビス６をエプロン２にねじ込んで、別体縦リブ１１をエプロン２の幅方向左右端の少なくとも一方の下端部に固定しておき、この状態で、エプロン２と共に別体縦リブ１１を洗い場パン１の壁載置面１ａ上に載せ、図８の平面図及び図９の斜視構成図で示すように、洗い場パン１の水切り片１ｂにリブ片１３を当接させ、リブ片１３に形成されているビス孔１３ａ内にビス６を差し込んで、ビス６を介して水切り片１ｂにリブ片１３を固定することができ、水切り片１ｂの内側の壁載置面１ａ上に壁パネル８を建て付ける際に、壁パネル８の鋼板９の先端に折り曲げ形成されている引掛け片９ａを、ガイド片１７にガイドさせて立上片１４側に押し込むことにより、引掛け片９ａが別体縦リブ１１の係止湾曲片１５内に嵌まり込んで良好に固定されることとなり、壁パネル８を建て付ける際に、図３及び図４に示すような金具７を省略して、良好に壁パネル８を固定することができるものとなる。
【図面の簡単な説明】
【００２１】
【図１】エプロンを洗い場パンに立設固定させる作業状態を示す斜視構成図である。
【図２】図１の要部拡大斜視構成図である。
【図３】エプロンに金具を取り付けて、この金具で壁パネルを固定する構造の平面断面拡大構成図である。
【図４】図３の要部斜視構成図である。
【図５】別体の縦リブをエプロンに取り付ける構成の要部斜視構成図である。
【図６】係止片を備えた別体縦リブの斜視構成図である。
【図７】図６の別体縦リブの配設状態を示す斜視構成図である。
【図８】別体縦リブの係止片に壁パネルの引掛け片を引っ掛けた状態の平面断面構成図である。
【図９】図８の斜視構成図である。
【符号の説明】
【００２２】
１  洗い場パン
１ａ  壁載置面
１ｂ  水切り片
２  エプロン
２ａ，２ｂ  作業口
３，４，５  縦リブ
３ａ，４ａ  ビス孔
６  ビス
７  金具
８  壁パネル
９  鋼板
９ａ  引掛け片
１１  別体縦リブ
１２  エプロン固定片
１３  リブ片
１２ａ，１３ａ  ビス孔
１４  立上片
１５  係止湾曲片
１６  折り返し湾曲片
１７  ガイド片
【図１】
2005095560.tif 000003
【図２】
2005095560.tif 000004
【図３】
2005095560.tif 000005
【図４】
2005095560.tif 000006
【図５】
2005095560.tif 000007
【図６】
2005095560.tif 000008
【図７】
2005095560.tif 000009
【図８】
2005095560.tif 000010
【図９】
2005095560.tif 000011